(57)【要約】蓋部分の取り外しを容易にし、記録装置による記録媒体の給紙を安定化するとともに、簡単に形成できる記録媒体パッケージである。記録媒体パッケージ１は、保持部３と、その保持部３を覆うように複数の感熱紙１９を収納する収納部２３が１枚の用紙によって形成されており、収納部２３は、保持部３の一部が露出するように分離可能であって、収納部２３が分離される境界は、分離前において直線状のミシン目によって形成されている。
2002100748.tif 000002
【特許請求の範囲】
【請求項１】
複数の記録媒体（１９）を収納するための記録媒体パッケージ（１）であって、
前記複数の記録媒体を保持する保持部（３）と、
少なくとも前記保持部（３）を覆うように前記複数の記録媒体を収納する収納部（２３）とを備え、
前記収納部は、前記保持部の一部が露出するように分離可能であって、前記収納部が分離される境界は、分離前において直線状のミシン目（１７）によって形成されていること特徴とする記録媒体パッケージ。
【請求項２】
請求項１記載の記録媒体パッケージ（１）において、少なくとも前記保持部（３）は型による切断によって形成され、その型による切断によって形成された前記保持部の端部のうちダレ部に相当する側の面を前記記録媒体（１９）に対向させて配置したことを特徴とする記録媒体パッケージ。
【請求項３】
請求項１又は請求項２記載の記録媒体パッケージ（１）において、前記保持部（３）及び前記収納部（２３）は、１枚の用紙（第３図）により形成されていることを特徴とする記録媒体パッケージ。
【請求項４】
請求項３記載の記録媒体パッケージ（１）において、前記収納部（２３）は、前記用紙の一端（９Ａ）をその用紙の他端（７Ａ）に掛着して前記複数の記録媒体（１９）を覆っていることを特徴とする記録媒体パッケージ。
【請求項５】
請求項１乃至請求項４のいずれかに記載の記録媒体パッケージ（１）において、前記保持部（３）は、少なくとも前記記録媒体と当接する部分に導電性の部材を有していることを特徴とする記録媒体パッケージ。
【請求項６】
請求項１乃至請求項５のいずれかに記載の記録媒体パッケージ（１）において、前記収納部（３）が分離された状態で記録装置（３０）に装着可能であることを特徴とする請求項１乃至請求項５のいずれかに記載の記録媒体パッケージ。
【発明の詳細な説明】
技術分野
本発明は、用紙等の記録媒体を収納するための記録媒体パッケージに関する。
背景技術
従来、この種の記録媒体パッケージとしては、特開昭６３−１８０６２９号公報に記載されたような記録媒体パッケージとしての給紙カセットがある。この特開昭６３−１８０６２９号公報に記載された給紙カセットは、カット紙を包装するためのカット紙包装部材のケース部分と、カット紙包装部材の蓋部分と、ケース部分と蓋部分とを接着する部材である粘着テープと、カット紙の保持手段として使用する厚紙とから構成されている。この給紙カセットを使用する使用者は、給紙カセットを使用するに際して、先ず、給紙カセットに粘着された粘着テープを取り外し、包装部材のケース部分にカット紙を収納した状態で、カット紙包装部材の蓋部分をカット紙包装部材のケース部分から取り外す。そして、使用者がカット紙が収納されたカット紙包装部材のケース部分を画像記録装置の給紙部に装着すれば、画像記録装置によって所望の画像がカット紙に形成され、その所望の画像が形成されたカット紙が画像記録装置から出力されていた。
しかしながら、従来の給紙カセットにおいては、カット紙を包装するためのカット紙包装部材のケース部分と、カット紙包装部材の蓋部分とを接着するために粘着テープが複雑な形状でカット紙包装部材のケース部分とカット紙包装部材の蓋部分を接着しているため、カット紙包装部材の蓋部分の取り外し作業が繁雑になるという問題があった。
また、カット紙包装部材の蓋部分をカット紙包装部材のケース部分から取り外し、カット紙４が収納されたカット紙包装部材のケース部分を画像記録装置の給紙部に装着して、厚紙をカット紙を分離する分離パッドとして兼用しようとした場合には、画像記録装置によるカット紙の給紙が不安定になるという問題があった。
一方、厚紙を分離パッドとして兼用し、カット紙の給紙を安定化させようとした場合には、カット紙と当接する部分の状態が重要な要素となる。
例えば、カット紙をピックアップローラで１枚ずつピックアップして記録する画像記録装置においては、カット紙と当接する部分の状態によって、給紙カセットに収納されたカット紙のうち最後のカット紙がそれ以前のカット紙と同時にピックアップされてしまうという問題があった。この問題は、用紙の無駄使いのみならず、ジャムの発生、記録品質の劣化等の問題を発生する要因ともなる。
この問題は、大型の画像記録装置や、Ａ４サイズ等のレギュラーサイズのカット紙に記録するデスクトップサイズの画像記録装置では、給紙カセットあるいは用紙収納スペースに寸法的な余裕があるので、ボトムプレートに十分な厚みの素材を取り付けて摩擦係数の改善を図ることを比較的容易に行うことができるが、携帯に適した小型の画像記録装置に使用する給紙カセットにおいては、そのような素材を取り付ける寸法的な余裕もない。そして、このような小型の画像記録装置に使用する給紙カセットでは収納可能なカット紙の枚数も限られているので、最後の１枚まで確実に供給できるようにすることが望ましい。
さらに、給紙カセット（以下、記録媒体パッケージと記す。）自体については、できる限り簡単に形成することが望ましい。
発明の開示
本発明は、かかる問題を解決するためになされたものであり、第１の目的は、蓋部分の取り外し作業を容易にできる記録媒体パッケージを提供することにある。
また、第２の目的は、記録媒体パッケージを画像記録装置に装着し、その記録媒体パッケージの一部を記録媒体を分離する分離パッドとして兼用しようとした場合においても、画像記録装置による記録媒体の給紙が安定してできる記録媒体パッケージを提供することにある。
さらに、第３の目的は、簡単に形成できる記録媒体パッケージを提供することにある。
この目的を達成するために、本発明による記録媒体パッケージは、複数の記録媒体を収納するためのものであって、特に、前記複数の記録媒体を保持する保持部と、少なくとも前記保持部を覆うように前記複数の記録媒体を収納する収納部とを備え、前記収納部は、前記保持部の一部が露出するように分離可能であって、前記収納部が分離される境界は、分離前において直線状のミシン目によって形成されていること特徴としている。
このような構成の記録媒体パッケージにおいて、収納部は、保持部の一部が露出するように分離可能であって、収納部が分離される境界は、分離前において直線状のミシン目によって形成されているので、収納部を容易に分離することができる。また、本記録媒体パッケージを記録装置に装着した場合には、分離した箇所は直接記録媒体を支持しておらず、記録媒体の上側に位置し、記録媒体を支持する保持部自体には、なんら分離した箇所がないので、記録媒体の搬送に際して、分離後の縁部の毛羽立ち等の影響を受けることがなく、安定した記録媒体の搬送を確保することができる。
このような記録媒体パッケージにおいて、少なくとも前記保持部は型による切断によって形成され、その型による切断によって形成された前記保持部の端部のうちダレ部に相当する側の面を前記記録媒体に対向させて配置している。
少なくとも保持部は、型による切断によって形成され、その型による切断によって形成された保持部の端部のうちダレ部に相当する側の面を記録媒体に対向させて配置しているので、本記録媒体パッケージを記録装置に装着した場合には、記録媒体と保持部との間の摩擦力が安定し、より安定した記録媒体の搬送を確保することができる。即ち、型による切断により、切断面付近に窪んだダレ部と突出するバリ部が形成されるが、ダレ部側が記録媒体に面しており、記録媒体に対して突出していないので、その搬送の妨げにならない。
また、前記保持部及び前記収納部が、１枚の用紙により形成されているのが好ましい。保持部及び収納部は、１枚の用紙により形成されているので、記録媒体パッケージをより簡単に形成することができる。
また、前記収納部が、前記用紙の一端をその用紙の他端に掛着して前記複数の記録媒体を覆っているのが好ましい。収納部は、用紙の一端をその用紙の他端に掛着して複数の記録媒体を覆っているので、接着剤を使用せずに簡単に記録媒体パッケージを形成することができる。
また、前記保持部が、少なくとも前記記録媒体と当接する部分に導電性の部材を有しているのが好ましい。保持部は、少なくとも記録媒体と当接する部分が導電性の部材で形成されているので、記録媒体との摩擦によって生じる静電気を防止することができ、より安定した記録媒体の搬送を確保することができる。
さらに、前記収納部が分離された状態で記録装置に装着可能であるのが好ましい。収納部が分離された状態で記録装置に装着可能であるので、記録装置の操作者は、記録媒体パッケージを簡単に分離した後記録装置に装着するだけで記録装置を操作することができ、記録装置に対する記録媒体の取り扱いが容易となる。発明を実施するための最良の形態
以下に図面を参照して本発明の実施の形態による記録媒体パッケージについて説明する。
記録媒体パッケージ１は、全体が紙製で縦５５ｍｍ横７７ｍｍ厚さ５ｍｍ程度の薄い直方体状であり、内部にＡ８サイズの記録媒体としての感熱紙１９（第２図参照）を２０枚程度収納可能である。そして、その記録媒体パッケージ１は、感熱紙１９を保持する保持部３（第２図参照）と、少なくとも保持部３覆うように複数の感熱紙１９を収納する収納部２３とから構成され、収納部２３は、直線状のミシン目１７を境界線として蓋部１３と基部１５とから構成されている。
記録媒体パッケージ１は、第２図に示すように、蓋部１３が直線状のミシン目１７を境にして基部１５から分離可能な構成になっており、記録媒体パッケージ１の使用者が蓋部１３をミシン目に従い切り取って基部１５から取り除くと、保持部３の一部とその保持部３に保持された感熱紙１９の１部が露出される。ミシン目１７は、直線状に形成されているので、使用者は、蓋部１３を持って引っ張るだけで簡単に収納部２３を分離させることができる。
なお、記録媒体パッケージ１は、蓋部１３を取り除いた状態で、そのまま記録装置としてのプリンタの用紙収納部に装着できるようになっている。
記録媒体パッケージ１の蓋部１３は、感熱紙１９を記録媒体パッケージ１の基部１５に保持した状態でプリンタにセットしたときにプリンタのピックアップローラ３３（第５図参照）が接触する感熱紙１９の給紙側の部分１９ａをカバーしている。従って、プリンタの用紙収納部に装着するときに、蓋部１３を取り外すと、感熱紙１９の給紙側の部分１９ａが表れ、ピックアップローラ３３が記録媒体パッケージ１の基部１５に保持された感熱紙１９に接触するようになる。一方、感熱紙１９にピックアップローラ３３が接触する側（本実施の形態では表側と呼ぶことにする。）と反対側の裏側には、保持部３が基部１５から飛び出しており、その保持部３は、感熱紙１９を支持する下敷きとなっている。
本実施の形態における記録媒体パッケージ１は、蓋部１３を取り外した後は感熱紙１９が保持部３に保持された状態でプリンタの用紙収納部に装着することができるものである。
第３図に示すように、本実施の形態における記録媒体パッケージ１は、１枚の用紙によって形成されており、型による切断（例えば、プレス加工）によって形成されるものである。従って、記録媒体パッケージ１の裏面側（紙面裏面側）にはバリが発生する一方、表面側（紙面表面側）は、バリの発生しないいわゆるダレ部を形成している。なお、第３図の展開図においても、ミシン目１７は直線状に形成されている。記録媒体パッケージ１の展開図において、記録媒体パッケージ１は、感熱紙１９を保持するための保持部３と、上部５、左側面部９、右側面部７及び中央部１１を含む収納部２３とから構成され、左側面部９の端部と右側面部７の端部には互いに反対方向に突出して延び互いに係合可能な掛着部９Ａ、７Ａが設けられている。この記録媒体パッケージ１の組み付けは、先ず、感熱紙１９を中央部１１の裏側に載置した状態で保持部３を２点鎖線に沿って紙面裏側に向かって折り曲げ、その後、その保持部３を覆うように左側面部９及び右側面部７を２点鎖線に沿って紙面裏側に向かって折り曲げて左側面部９の端部の掛着部９Ａと右側面部７の端部の掛着部７Ａとを掛着して固定する。そして、上部５を、掛着された左側面部９と右側面部７とによって形成された領域２１（第４図参照）に挿入することによって記録媒体パッケージ１が完成する。第４図は、本実施の形態における完成された記録媒体パッケージ１の組図である。
以上述べたように、本実施の形態における記録媒体パッケージ１は、１枚の用紙によって形成されているので、簡単に形成することができるとともに、左側面部９の端部を右側面部７の端部に掛着して複数の感熱紙１９を覆っているので、接着剤を使用せずに簡単に記録媒体パッケージ１を形成することができる。
第５図は、本実施の形態における記録媒体パッケージ１をプリンタ３０の用紙収納部３７に装着し、感熱紙１９が満載された状態を示す図であり、第６図は、本実施の形態における記録媒体パッケージ１をプリンタ３０に装着し、感熱紙１９が少なくなった状態を示す図である。
このプリンタ３０は、サーマルヘッド３１と、プラテンローラ３２を備えたサーマルプリンタである。従って、記録媒体パッケージ１には複数枚の感熱紙１９が収納されており、蓋部１３をミシン目に従って切り取ると、感熱紙１９の先端の部分１９ａが表れ、さらに、感熱材が塗布された感熱紙１９の表面１９ｂが上方１１を向いて表れるようになっている。蓋部１３を切り取ったときに表れる感熱紙１９の先端１９ａの部分は、プリンタ３０に装着したときにピックアップローラ３３に接する。従って、ピックアップローラ３３が給紙方向に回転すると、感熱紙１９に給紙方向の力が働き、感熱紙１９は、給紙方向、すなわち、サーマルヘッド３１の方向に送り出される。この時、複数枚の感熱紙１９が送り出されたとしても、その先端が分離壁３４に当たるので、最も上のピックアップローラ３３に接した感熱紙１９だけが分離されてサーマルヘッド３１の方向に送り出される。
ピックアップローラ３３と感熱紙２０との接触圧力を確保するために、本実施の形態においてはボトムプレート３６がばね３５によってピックアップローラ３３の方向に押し上げられるようになっている。そして、第６図に示すように、感熱紙１９が消費されて厚みが減少しても、ほぼ一定の圧力でピックアップローラ３３に感熱紙１９が押し付けられるようになっている。さらに、本実施の形態の記録媒体パッケージ１を採用した場合には、最終の感熱紙１９ｃとボトムプレート３６の間に保持部３が下敷きのように挿入されている。保持部３の表側は、感熱紙１９の表側と同等の摩擦係数を有するので、最終の感熱紙１９ｃにもその他の用紙と同様の摩擦力が作用し、最後の数枚が同時にピックアップされて給紙されてしまうことがない。
第７図は、本実施の形態における記録媒体パッケージ１をプリンタ３０に装着し、感熱紙１９が満載された状態を示す拡大図であり、第８図は、本実施の形態における記録媒体パッケージ１をプリンタ３０に装着し、感熱紙１９が少なくなった状態を示す拡大図である。
第７図及び第８図において、保持部３は、型によって切断されて形成された端部のうち、ダレ部に相当する側の面が感熱紙１９に当接するように配置されている。これは、感熱紙１９の搬送を安定化させるためになされたものであり、特に、最終の感熱紙１９を安定して搬送するためになされたものである。
ここで、記録媒体パッケージ１に搭載された感熱紙１９の量が十分な場合には、第７図に示されるように、感熱紙１９や記録媒体パッケージ１は略水平に指向する。しかし、記録媒体パッケージ１に搭載された感熱紙１９が少なくなると、第６図に示されるように、記録媒体パッケージ１は記録媒体パッケージ１の箱体部分の所定の位置を中心に回動して傾斜してゆく。保持体３の、記録媒体パッケージ１箱体の開口端から搬送方向側に突出する部分には、もはや感熱紙１９の重力が作用しなくなることとあいまって、保持体３の該突出部分が、パッケージ箱体の開口端から上方に折曲がる。このとき、保持部３の感熱紙搬送方向の長さが、感熱紙１９の搬送方向寸法よりも短い場合には、上方に折れ曲がった部分の傾斜がきつくなり、保持部３の先端縁が感熱紙１と線接触で当接することになり、感熱紙１の搬送の抵抗となる恐れがある。
しかし本実施の形態では、保持部３の感熱紙搬送方向の長さが、感熱紙１９の搬送方向寸法程度の長さを有しているので、記録媒体パッケージ１に搭載された感熱紙１９が少なくなった場合においても、保持体３の、記録媒体パッケージ１箱体の開口端から搬送方向側に突出する部分の傾斜がきつくならず、第８図に示されるように、保持部３は感熱紙１９に対してある程度の面接触を確保でき、感熱紙１９の搬送をより安定化させることができる。
なお、本実施の形態においては、保持部３は、単なる用紙で形成したものとして説明したが、保持部３は、ピックアップローラ３３により搬送される感熱紙１９によって常時擦れる部分であるため、摩擦帯電する可能性が高い。従って、保持部３の感熱紙１９が擦れる部分には、導電性の部材（例えば、カーボン）を塗布又は含有させることによって、感熱紙１９の搬送を安定化させることができる。
保持部３の少なくとも感熱紙１９が当接する部分に導電性の部材を塗布又は含有させれば、感熱紙１９との摩擦によって生じる静電気を防止することができ、より安定した感熱紙１９の搬送を確保することができる。
また、本実施の形態の記録媒体パッケージにおいては、感熱紙を搭載した形態を説明したが、当該記録媒体パッケージに感熱紙以外の普通紙、カーボン用紙又はＯＨＰ用紙等の記録媒体を搭載するようにしてもよい。
産業上の利用可能性
シート状の記録媒体を使用する画像形成装置、例えばプリンタ、ファクシミリ、コピー機等、各種装置に利用でき、その有用性は高い。
【図面の簡単な説明】
第１図は本発明の本実施の形態における記録媒体パッケージの概略図である。
第２図は本実施の形態における記録媒体パッケージの蓋部を分離した状態を示す図である。
第３図は本実施の形態における記録媒体パッケージの展開図である。
第４図は本実施の形態における記録媒体パッケージの組図である。
第５図は本実施の形態における記録媒体パッケージをプリンタに装着し、感熱紙が満載された状態を示す図である。
第６図は本実施の形態における記録媒体パッケージをプリンタに装着し、感熱紙が少なくなった状態を示す図である。
第７図は本実施の形態における記録媒体パッケージをプリンタに装着し、感熱紙が満載された状態を示す拡大図である。
第８図は本実施の形態における記録媒体パッケージをプリンタに装着し、感熱紙が少なくなった状態を示す拡大図である。
【図１】
2002100748.tif 000003
【図２】
2002100748.tif 000004
【図３】
2002100748.tif 000005
【図４】
2002100748.tif 000006
【図５】
2002100748.tif 000007
【図６】
2002100748.tif 000008
【図７】
2002100748.tif 000009
【図８】
2002100748.tif 000010
【手続補正書】
【提出日】平成14年9月24日(2002.9.24)
【手続補正１】
【補正対象書類名】明細書
【補正対象項目名】請求項６
【補正方法】変更
【補正の内容】
【請求項６】
請求項１乃至請求項５のいずれかに記載の記録媒体パッケージ（１）において、前記収納部（２３）の一部（１３）が分離された状態で記録装置（３０）に装着可能であることを特徴とする請求項１乃至請求項５のいずれかに記載の記録媒体パッケージ。
【手続補正２】
【補正対象書類名】明細書
【補正対象項目名】０００５
【補正方法】変更
【補正の内容】
【０００５】
さらに、前記収納部の一部が分離された状態で記録装置に装着可能であるのが好ましい。収納部の一部が分離された状態で記録装置に装着可能であるので、記録装置の操作者は、記録媒体パッケージを簡単に分離した後記録装置に装着するだけで記録装置を操作することができ、記録装置に対する記録媒体の取り扱いが容易となる。
図面の簡単な説明
第１図は本発明の本実施の形態における記録媒体パッケージの概略図である。
第２図は本実施の形態における記録媒体パッケージの蓋部を分離した状態を示す図である。
第３図は本実施の形態における記録媒体パッケージの展開図である。
第４図は本実施の形態における記録媒体パッケージの組図である。
第５図は本実施の形態における記録媒体パッケージをプリンタに装着し、感熱紙が満載された状態を示す図である。
第６図は本実施の形態における記録媒体パッケージをプリンタに装着し、感熱紙が少なくなった状態を示す図である。
第７図は本実施の形態における記録媒体パッケージをプリンタに装着し、感熱紙が満載された状態を示す拡大図である。
第８図は本実施の形態における記録媒体パッケージをプリンタに装着し、感熱紙が少なくなった状態を示す拡大図である。
発明を実施するための最良の形態
以下に図面を参照して本発明の実施の形態による記録媒体パッケージについて説明する。
記録媒体パッケージ１は、全体が紙製で縦５５ｍｍ横７７ｍｍ厚さ５




【国際調査報告】
2002100748.tif 000011
2002100748.tif 000012
2002100748.tif 000013
2002100748.tif 000014